【手続補正書】
【提出日】平成19年11月15日(2007.11.15)
【手続補正１】
【補正対象書類名】特許請求の範囲
【補正対象項目名】全文
【補正方法】変更
【補正の内容】
【特許請求の範囲】
【請求項１】
充電装置に備えられた略長方形状の載置面を有するスロットに装着可能なバッテリパックにおいて、
前記載置面に対応する形状である略長方形状の形状を有する底面部と、
前記スロットへの装着方向の前面側となる前面部とを備え、
前記底面部の前記前面部側には、
前記スロットへの装着時に前記載置面に設けられた第１のガイド凸部と係合される第１のガイド溝と、
前記ガイド溝と連続して形成され、前記バッテリパックの前記スロットへの装着時に、前記載置面に設けられたバッテリパック種別判定スイッチと対応する位置に配置されるバッテリパック種別判別用凹部と
が形成されているバッテリパック。
【請求項２】
前記底面部の前記前面部側には、第２のガイド溝が備えられており、
前記第１のガイド溝は、前記バッテリパック種別判別用凹部よりも前記底面部の後端側に向かって長く形成されており、
前記バッテリパックが前記スロットへ装着される際に、前記底面部の前記前面部側の前記第１及び第２のガイド溝に挟まれる部分が、前記スロットに形成された前記第１のガイド凸部と第２のガイド凸部によってガイドされる
請求項１に記載のバッテリパック。
【手続補正２】
【補正対象書類名】明細書
【補正対象項目名】発明の名称
【補正方法】変更
【補正の内容】
【発明の名称】バッテリパック
【手続補正３】
【補正対象書類名】明細書
【補正対象項目名】０００１
【補正方法】変更
【補正の内容】
【０００１】
本発明は、バッテリパックに関し、特に、電力供給方式の異なる充放電装置に対して、それぞれを識別し、対応する方式で電力を供給できるようにしたバッテリパックに関する。
【手続補正４】
【補正対象書類名】明細書
【補正対象項目名】０００２
【補正方法】変更
【補正の内容】
【０００２】
ビデオカメラなどに使用されるバッテリパックに代表される充放電装置に、充電器などの電力供給装置より電力を供給して蓄えさせる、いわゆる充電技術が一般に普及しつつある（特許文献１乃至３参照）。
【手続補正５】
【補正対象書類名】明細書
【補正対象項目名】０００４
【補正方法】変更
【補正の内容】
【０００４】
しかしながら、近年、この課題を解消すべく、バッテリパックと充電器は技術的に進歩し、充電器からの充電電流を、より大電流にすることで、バッテリパックに充電させることが可能となった。結果として、バッテリパックの充電容量を大きくしても、充電に要する時間を短縮すること（高速充電）が可能となってきている。
【特許文献１】特開平６−１０４０１７号公報
【特許文献２】特開平６−１０５４７６号公報
【特許文献３】特開平６−０２０６６５号公報
【手続補正６】
【補正対象書類名】明細書
【補正対象項目名】０００９
【補正方法】変更
【補正の内容】
【０００９】
本発明の一側面のバッテリパックは、充電装置に備えられた略長方形状の載置面を有するスロットに装着可能なバッテリパックであって、前記載置面に対応する形状である略長方形状の形状を有する底面部と、前記スロットへの装着方向の前面側となる前面部とを備え、前記底面部の前記前面部側には、前記スロットへの装着時に前記載置面に設けられた第１のガイド凸部と係合される第１のガイド溝と、前記ガイド溝と連続して形成され、前記バッテリパックの前記スロットへの装着時に、前記載置面に設けられたバッテリパック種別判定スイッチと対応する位置に配置されるバッテリパック種別判別用凹部とが形成されている。
【手続補正７】
【補正対象書類名】明細書
【補正対象項目名】００１０
【補正方法】変更
【補正の内容】
【００１０】
前記底面部の前記前面部側には、第２のガイド溝を設けるようにさせることができ、前記第１のガイド溝は、前記バッテリパック種別判別用凹部よりも前記底面部の後端側に向かって長く形成されるようにすることができ、前記バッテリパックが前記スロットへ装着される際に、前記底面部の前記前面部側の前記第１及び第２のガイド溝に挟まれる部分が、前記スロットに形成された前記第１のガイド凸部と第２のガイド凸部によってガイドされるようにすることができる。
【手続補正８】
【補正対象書類名】明細書
【補正対象項目名】００１１
【補正方法】削除
【補正の内容】
【手続補正９】
【補正対象書類名】明細書
【補正対象項目名】００１２
【補正方法】削除
【補正の内容】
【手続補正１０】
【補正対象書類名】明細書
【補正対象項目名】００１３
【補正方法】削除
【補正の内容】
【手続補正１１】
【補正対象書類名】明細書
【補正対象項目名】００１４
【補正方法】削除
【補正の内容】
【手続補正１２】
【補正対象書類名】明細書
【補正対象項目名】００１５
【補正方法】削除
【補正の内容】
【手続補正１３】
【補正対象書類名】明細書
【補正対象項目名】００１６
【補正方法】削除
【補正の内容】
【手続補正１４】
【補正対象書類名】明細書
【補正対象項目名】００１７
【補正方法】削除
【補正の内容】
【手続補正１５】
【補正対象書類名】明細書
【補正対象項目名】００１８
【補正方法】削除
【補正の内容】
【手続補正１６】
【補正対象書類名】明細書
【補正対象項目名】００１９
【補正方法】削除
【補正の内容】
【手続補正１７】
【補正対象書類名】明細書
【補正対象項目名】００２０
【補正方法】削除
【補正の内容】
【手続補正１８】
【補正対象書類名】明細書
【補正対象項目名】００２１
【補正方法】削除
【補正の内容】
【手続補正１９】
【補正対象書類名】明細書
【補正対象項目名】００２２
【補正方法】削除
【補正の内容】
【手続補正２０】
【補正対象書類名】明細書
【補正対象項目名】００２３
【補正方法】削除
【補正の内容】
【手続補正２１】
【補正対象書類名】明細書
【補正対象項目名】００２４
【補正方法】削除
【補正の内容】
【手続補正２２】
【補正対象書類名】明細書
【補正対象項目名】００２５
【補正方法】削除
【補正の内容】
【手続補正２３】
【補正対象書類名】明細書
【補正対象項目名】００２６
【補正方法】削除
【補正の内容】
【手続補正２４】
【補正対象書類名】明細書
【補正対象項目名】００２７
【補正方法】削除
【補正の内容】
【手続補正２５】
【補正対象書類名】明細書
【補正対象項目名】００２８
【補正方法】削除
【補正の内容】
【手続補正２６】
【補正対象書類名】明細書
【補正対象項目名】００２９
【補正方法】削除
【補正の内容】
【手続補正２７】
【補正対象書類名】明細書
【補正対象項目名】００３０
【補正方法】削除
【補正の内容】
【手続補正２８】
【補正対象書類名】明細書
【補正対象項目名】００３１
【補正方法】削除
【補正の内容】
【手続補正２９】
【補正対象書類名】明細書
【補正対象項目名】００３２
【補正方法】削除
【補正の内容】
【手続補正３０】
【補正対象書類名】明細書
【補正対象項目名】００３３
【補正方法】削除
【補正の内容】
【手続補正３１】
【補正対象書類名】明細書
【補正対象項目名】００３４
【補正方法】削除
【補正の内容】
【手続補正３２】
【補正対象書類名】明細書
【補正対象項目名】００３５
【補正方法】削除
【補正の内容】
【手続補正３３】
【補正対象書類名】明細書
【補正対象項目名】００３６
【補正方法】削除
【補正の内容】
【手続補正３４】
【補正対象書類名】明細書
【補正対象項目名】００３７
【補正方法】削除
【補正の内容】
【手続補正３５】
【補正対象書類名】明細書
【補正対象項目名】００３８
【補正方法】削除
【補正の内容】
【手続補正３６】
【補正対象書類名】明細書
【補正対象項目名】００３９
【補正方法】削除
【補正の内容】
【手続補正３７】
【補正対象書類名】明細書
【補正対象項目名】００４０
【補正方法】削除
【補正の内容】
【手続補正３８】
【補正対象書類名】明細書
【補正対象項目名】００４１
【補正方法】削除
【補正の内容】
【手続補正３９】
【補正対象書類名】明細書
【補正対象項目名】００４２
【補正方法】削除
【補正の内容】
【手続補正４０】
【補正対象書類名】明細書
【補正対象項目名】００４３
【補正方法】削除
【補正の内容】
【手続補正４１】
【補正対象書類名】明細書
【補正対象項目名】００４４
【補正方法】削除
【補正の内容】
【手続補正４２】
【補正対象書類名】明細書
【補正対象項目名】００４５
【補正方法】削除
【補正の内容】
【手続補正４３】
【補正対象書類名】明細書
【補正対象項目名】００４６
【補正方法】削除
【補正の内容】
【手続補正４４】
【補正対象書類名】明細書
【補正対象項目名】００４７
【補正方法】削除
【補正の内容】
【手続補正４５】
【補正対象書類名】明細書
【補正対象項目名】００４８
【補正方法】削除
【補正の内容】
【手続補正４６】
【補正対象書類名】明細書
【補正対象項目名】００４９
【補正方法】削除
【補正の内容】
【手続補正４７】
【補正対象書類名】明細書
【補正対象項目名】００５０
【補正方法】削除
【補正の内容】
【手続補正４８】
【補正対象書類名】明細書
【補正対象項目名】００５１
【補正方法】削除
【補正の内容】
【手続補正４９】
【補正対象書類名】明細書
【補正対象項目名】００５２
【補正方法】削除
【補正の内容】
【手続補正５０】
【補正対象書類名】明細書
【補正対象項目名】００５３
【補正方法】削除
【補正の内容】
【手続補正５１】
【補正対象書類名】明細書
【補正対象項目名】００５４
【補正方法】削除
【補正の内容】
【手続補正５２】
【補正対象書類名】明細書
【補正対象項目名】００５５
【補正方法】削除
【補正の内容】
【手続補正５３】
【補正対象書類名】明細書
【補正対象項目名】００５６
【補正方法】削除
【補正の内容】
【手続補正５４】
【補正対象書類名】明細書
【補正対象項目名】００５７
【補正方法】変更
【補正の内容】
【００５７】
本発明の一側面のバッテリパックにおいては、充電装置に備えられた略長方形状の載置面を有するスロットに装着可能なバッテリパックであって、前記載置面に対応する形状である略長方形状の形状を有する底面部と、前記スロットへの装着方向の前面側となる前面部とが設けられ、前記底面部の前記前面部側には、前記スロットへの装着時に前記載置面に設けられた第１のガイド凸部と係合される第１のガイド溝と、前記ガイド溝と連続して形成され、前記バッテリパックの前記スロットへの装着時に、前記載置面に設けられたバッテリパック種別判定スイッチと対応する位置に配置されるバッテリパック種別判別用凹部とが形成される。
【手続補正５５】
【補正対象書類名】明細書
【補正対象項目名】００５８
【補正方法】削除
【補正の内容】
【手続補正５６】
【補正対象書類名】明細書
【補正対象項目名】００５９
【補正方法】削除
【補正の内容】
【手続補正５７】
【補正対象書類名】明細書
【補正対象項目名】００６０
【補正方法】削除
【補正の内容】
【手続補正５８】
【補正対象書類名】明細書
【補正対象項目名】００６１
【補正方法】削除
【補正の内容】
【手続補正５９】
【補正対象書類名】明細書
【補正対象項目名】００６２
【補正方法】削除
【補正の内容】
【手続補正６０】
【補正対象書類名】明細書
【補正対象項目名】００６３
【補正方法】削除
【補正の内容】
【手続補正６１】
【補正対象書類名】明細書
【補正対象項目名】００６４
【補正方法】削除
【補正の内容】
【手続補正６２】
【補正対象書類名】明細書
【補正対象項目名】００６５
【補正方法】削除
【補正の内容】
【手続補正６３】
【補正対象書類名】明細書
【補正対象項目名】００６６
【補正方法】変更
【補正の内容】
【００６６】
本発明の一側面のバッテリパックによれば、充電装置に備えられた略長方形状の載置面を有するスロットに装着可能なバッテリパックであって、前記載置面に対応する形状である略長方形状の形状を有する底面部と、前記スロットへの装着方向の前面側となる前面部とを設け、前記底面部の前記前面部側には、前記スロットへの装着時に前記載置面に設けられた第１のガイド凸部と係合される第１のガイド溝と、前記ガイド溝と連続して形成され、前記バッテリパックの前記スロットへの装着時に、前記載置面に設けられたバッテリパック種別判定スイッチと対応する位置に配置されるバッテリパック種別判別用凹部とを形成するようにした。
【手続補正６４】
【補正対象書類名】明細書
【補正対象項目名】００６７
【補正方法】削除
【補正の内容】
【手続補正６５】
【補正対象書類名】明細書
【補正対象項目名】００６８
【補正方法】削除
【補正の内容】
【手続補正６６】
【補正対象書類名】明細書
【補正対象項目名】００６９
【補正方法】削除
【補正の内容】
【手続補正６７】
【補正対象書類名】明細書
【補正対象項目名】００７０
【補正方法】削除
【補正の内容】
【手続補正６８】
【補正対象書類名】明細書
【補正対象項目名】００７１
【補正方法】削除
【補正の内容】
【手続補正６９】
【補正対象書類名】明細書
【補正対象項目名】００７２
【補正方法】削除
【補正の内容】
【手続補正７０】
【補正対象書類名】明細書
【補正対象項目名】００７３
【補正方法】削除
【補正の内容】
【手続補正７１】
【補正対象書類名】明細書
【補正対象項目名】００７４
【補正方法】削除
【補正の内容】
【手続補正７２】
【補正対象書類名】明細書
【補正対象項目名】００７５
【補正方法】変更
【補正の内容】
【００７５】
すなわち、バッテリパック種別判別用凹部がガイド溝と連結して構成されるので、ガイド溝とガイド凸部の関係により位置決めされる位置の近傍に配置されることになり、充電装置と位置決めが最も成された位置に配置される。従って、バッテリパック種別判別用スイッチを小型化することが可能となると共に、確実にバッテリパックを充電装置に確実に装着することが可能となる。
結果として、充放電装置の種別に基づいて、適正な電力供給モードで充放電装置を充電することが可能になり、充放電装置を充電する際に生じる過電流による充電容量の低下や破損を抑制することが可能となる。